(57)【要約】【課題】安価な画像読取装置を提供する。【解決手段】画像読取装置１００は、原稿Ｇに光を照射するライン照明装置１６と、原稿Ｇからの反射光を集光する、複数のレンズが両面に配列された第１レンズアレイプレート２４、第２レンズアレイプレート２６が積層された正立等倍レンズアレイ１０と、正立等倍レンズアレイ１０により集光された光を受光するラインイメージセンサ２０と、ライン照明装置１６、正立等倍レンズアレイ１０およびラインイメージセンサ２０を固定する筐体１２と、結像に寄与しない光がレンズに入射するのを防ぐ第１遮光部材３０、第２遮光部材３２および第３遮光部材３４とを備える。第１遮光部材３０、第２遮光部材３２および第３遮光部材３４は、筐体１２の本体部１２ｃと一体に形成されている。【選択図】図１
2010074548.tif 000002
【特許請求の範囲】
【請求項１】
原稿に光を照射するライン照明装置と、
前記原稿からの反射光を集光する、複数のレンズが片面または両面に配列されたレンズアレイプレートが複数枚積層された正立等倍レンズアレイと、
前記正立等倍レンズアレイにより集光された光を受光するラインイメージセンサと、
前記ライン照明装置、正立等倍レンズアレイおよびラインイメージセンサを固定する筐体と、
結像に寄与しない光が前記レンズに入射するのを防ぐ遮光部材と、を備え、
前記遮光部材は、前記筐体と一体に形成されていることを特徴とする画像読取装置。
【請求項２】
前記正立等倍レンズアレイは、一方の面に配列された複数の第１外側レンズと他方の面に配列された複数の第１内側レンズとを有する第１レンズアレイプレートと、一方の面に配列された複数の第２外側レンズと他方の面に配列された複数の第２内側レンズとを有する第２レンズアレイプレートとを含み、前記第１レンズアレイプレートと前記第２レンズアレイプレートは、前記第１内側レンズと前記第２内側レンズが対向するように積層されており、
前記遮光部材は、前記複数の第１外側レンズと対応する複数の第１貫通孔を有する板状の第１遮光部材と、前記複数の第２外側レンズと対応する複数の第２貫通孔を有する板状の第２遮光部材とを含み、前記第１遮光部材と前記第２遮光部材は、互いに所定距離隔てた状態で前記筐体と一体に形成されており、
前記第１レンズアレイプレートと前記第２レンズアレイプレートは、前記複数の第１外側レンズが各々対応する前記第１貫通孔の正面に位置し、且つ前記複数の第２外側レンズが各々対応する前記第２貫通孔の正面に位置するように前記第１遮光部材と前記第２遮光部材との隙間に挿入されることにより、前記筐体に固定されることを特徴とする請求項１に記載の画像読取装置。
【請求項３】
前記第１レンズアレイプレートと前記第２レンズアレイプレートとの間には、前記第１内側レンズと前記第２内側レンズに対応する複数の貫通孔を有する板状の第３遮光部材が前記筐体と一体に形成されていることを特徴とする請求項２に記載の画像読取装置。
【請求項４】
前記第１遮光部材および前記第２遮光部材は、短手方向の一方の端部において前記筐体に結合されており、前記第１および第２レンズアレイプレートは、開放された短手方向の他方の端部側から前記第１遮光部材と前記第２遮光部材との隙間に挿入されることにより、前記筐体に固定されることを特徴とする請求項２または３に記載の画像読取装置。
【請求項５】
前記第１および／または第２レンズアレイプレートは、前記第１遮光部材と前記第２遮光部材との隙間に最初に挿入される側の端部にテーパ状部分を有することを特徴とする請求項２から４のいずれかに記載の画像読取装置。
【請求項６】
前記第１レンズアレイプレートと前記第２レンズアレイプレートは、短手方向の一方の端部において互いに平行に所定距離隔てた状態で連結されていることを特徴とする請求項２から５のいずれかに記載の画像読取装置。
【発明の詳細な説明】
【技術分野】
【０００１】
本発明は、複数枚のレンズアレイプレートで構成した正立等倍レンズアレイを用いた画像読取装置に関する。
【背景技術】
【０００２】
従来、スキャナ等の画像読取装置として、正立等倍結像光学系を用いた装置が知られている。正立等倍結像光学系を用いた場合、縮小結像光学系の場合よりも装置をコンパクトにすることができる。画像読取装置において、正立等倍結像光学系は、ライン状光源と、正立等倍レンズアレイと、ラインイメージセンサから構成される。
【０００３】
正立等倍結像光学系における正立等倍レンズアレイとしては、従来、正立等倍像を結像可能なロッドレンズアレイが用いられてきたが、近年では、両面に複数の微小凸レンズを規則的に配列した透明なレンズアレイプレートを、個々の凸レンズの光軸が一致するように複数枚積層したレンズアレイユニットが提案されている（たとえば特許文献１参照）。このようなレンズアレイユニットは、射出成形などの方法により形成できるレンズアレイプレートを積層した構造であるため、正立等倍レンズアレイを比較的安価に製造することができる。
【０００４】
レンズアレイユニットでは、隣接したレンズ間に光線を隔離するための壁が無いため、レンズアレイユニットに斜めに入射した光線が、プレート内部を斜めに進んで隣接した凸レンズに入り込み、出射してゴースト像を形成するという迷光の問題がある。
【０００５】
この迷光対策のため、たとえば特許文献１には、結像対象物から進行してきた光を絞るための遮光部材を結像対象物側の第１レンズアレイに取り付ける技術が開示されている。また、たとえば特許文献２には、結像対象物側の第１レンズアレイと、受光素子側の第２レンズアレイとにそれぞれ遮光マスクを取り付ける技術が開示されている。
【特許文献１】特開２００１−３５２４２９号公報
【特許文献２】特開２００３−３０２５０４号公報
【発明の開示】
【発明が解決しようとする課題】
【０００６】
しかしながら、特許文献１、２に記載のレンズアレイユニットの場合、遮光部材または遮光マスクを設けたことにより、部品点数が増加してしまい、その結果、レンズアレイユニットを組み込んだ画像読取装置のコストが上昇する可能性がある。
【０００７】
本発明はこうした状況に鑑みてなされたものであり、その目的は、安価な画像読取装置を提供することにある。
【課題を解決するための手段】
【０００８】
上記課題を解決するために、本発明のある態様の画像読取装置は、原稿に光を照射するライン照明装置と、原稿からの反射光を集光する、複数のレンズが片面または両面に配列されたレンズアレイプレートが複数枚積層された正立等倍レンズアレイと、正立等倍レンズアレイにより集光された光を受光するラインイメージセンサと、ライン照明装置、正立等倍レンズアレイおよびラインイメージセンサを固定する筐体と、結像に寄与しない光がレンズに入射するのを防ぐ遮光部材とを備え、遮光部材は、筐体と一体に形成されている。
【０００９】
この態様によると、遮光部材を画像読取装置の筐体と一体に形成したことにより、部品点数が低減されるため、安価な画像読取装置を実現できる。
【００１０】
正立等倍レンズアレイは、一方の面に配列された複数の第１外側レンズと他方の面に配列された複数の第１内側レンズとを有する第１レンズアレイプレートと、一方の面に配列された複数の第２外側レンズと他方の面に配列された複数の第２内側レンズとを有する第２レンズアレイプレートとを含み、第１レンズアレイプレートと第２レンズアレイプレートは、第１内側レンズと第２内側レンズが対向するように積層されており、遮光部材は、複数の第１外側レンズと対応する複数の第１貫通孔を有する板状の第１遮光部材と、複数の第２外側レンズと対応する複数の第２貫通孔を有する板状の第２遮光部材とを含み、第１遮光部材と第２遮光部材は、互いに所定距離隔てた状態で筐体と一体に形成されており、第１レンズアレイプレートと第２レンズアレイプレートは、複数の第１外側レンズが各々対応する第１貫通孔の正面に位置し、且つ複数の第２外側レンズが各々対応する第２貫通孔の正面に位置するように第１遮光部材と第２遮光部材との隙間に挿入されることにより、筐体に固定されてもよい。
【００１１】
この場合、筐体と一体に形成された第１遮光部材と第２遮光部材とにより第１および第２レンズアレイプレートが固定されるため、第１および第２レンズアレイプレートを筐体の所定の位置に精度よく実装することができ、その結果、結像性能を向上することができる。
【００１２】
第１レンズアレイプレートと第２レンズアレイプレートとの間には、第１内側レンズと第２内側レンズに対応する複数の貫通孔を有する板状の第３遮光部材が筐体と一体に形成されていてもよい。この場合、結像に寄与しない光をさらに遮断することができる。
【００１３】
第１遮光部材および第２遮光部材は、短手方向の一方の端部において筐体に結合されており、第１および第２レンズアレイプレートは、開放された短手方向の他方の端部側から第１遮光部材と第２遮光部材との隙間に挿入されることにより、筐体に固定されてもよい。この場合、これらの場合、第１および第２レンズアレイプレートの挿入が容易となるので、組立工数を低減できる。
【００１４】
第１および／または第２レンズアレイプレートは、第１遮光部材と第２遮光部材との隙間に最初に挿入される側の端部にテーパ状部分を有してもよい。この場合、第１および／または第２レンズアレイプレートの挿入が容易となるので、組立工数を低減できる。
【００１５】
第１レンズアレイプレートと第２レンズアレイプレートは、短手方向の一方の端部において互いに平行に所定距離隔てた状態で連結されていてもよい。このように第１および第２レンズアレイプレートを一体に構成することにより、部品点数が低減され、また組立工数が低減されるため、より安価な画像読取装置を実現できる。
【００１６】
なお、以上の構成要素の任意の組合せ、本発明の表現を方法、装置、システム、などの間で変換したものもまた、本発明の態様として有効である。
【発明の効果】
【００１７】
本発明によれば、安価な画像読取装置を提供できる。
【発明を実施するための最良の形態】
【００１８】
図１は、本発明の実施の形態に係る画像読取装置１００の断面図である。図１に示すように、画像読取装置１００は、画像読取装置１００の上方に設けられたガラス板１４上に載置された原稿Ｇに光を照射するライン照明装置１６と、原稿Ｇからの反射光を集光する正立等倍レンズアレイ１０と、正立等倍レンズアレイ１０により集光された光を受けるラインイメージセンサ（光電変換素子）２０と、ライン照明装置１６、正立等倍レンズアレイ１０およびラインイメージセンサ２０を固定するための筐体１２とを備える。
【００１９】
筐体１２は、略直方体形状の本体部１２ｃを有する。本体部１２ｃの上方には凹部１２ａが形成され、下方には凹部１２ｂが形成されている。上方の凹部１２ａ内には、ライン照明装置１６が斜めに固定されている。ライン照明装置１６は、照射光の光軸が、正立等倍レンズアレイ１０の光軸Ａｘとガラス板１４の上面との交点を通るように固定される。下方の凹部１２ｂには、ラインイメージセンサ２０を備えた基板２２が取り付けられている。また、ラインイメージセンサ２０の上方には、正立等倍レンズアレイ１０が設けられている。
【００２０】
画像読取装置１００においては、ライン照明装置１６からの出射光がガラス板１４を通して原稿Ｇに当てられ、原稿Ｇからの反射光を正立等倍レンズアレイ１０を介してラインイメージセンサ２０にて検出することで原稿Ｇを読み取る。ガラス板１４に対して筐体１２を副走査方向に走査することにより、原稿Ｇの所望の領域の読み取りを行うことができる。
【００２１】
正立等倍レンズアレイ１０は、第１レンズアレイプレート２４と第２レンズアレイプレート２６とが積層されたものである。本実施の形態において、第１レンズアレイプレート２４と第２レンズアレイプレート２６は同一形状である。第１レンズアレイプレート２４および第２レンズアレイプレート２６は、長方形状であり、その両面には複数の凸レンズが配列形成されている。すなわち、第１レンズアレイプレート２４の一方の面である第１外側面２４ｃ上には、複数の第１外側レンズ２４ａが規則的に配列されており、他方の面である第１内側面２４ｄ上には、複数の第１内側レンズ２４ｂが規則的に配列されている。また、第２レンズアレイプレート２６の一方の面である第２外側面２６ｃ上には、複数の第２外側レンズ２６ａが規則的に配列されており、他方の面である第２内側面２６ｄ上には、複数の第２内側レンズ２６ｂが規則的に配列されている。
【００２２】
本実施の形態において、第１外側レンズ２４ａ、第１内側レンズ２４ｂ、第２外側レンズ２６ａ、第２内側レンズ２６ｂは、同一形状に形成されており、レンズアレイプレートの長手方向に沿って一列に、同一ピッチで配列されている。従って、第１レンズアレイプレート２４と第２レンズアレイプレート２６を第１内側レンズ２４ｂと第２内側レンズ２６ｂが対向するように配置したときに、対応する４つのレンズの光軸が一致するようになっている。本実施の形態では、第１外側レンズ２４ａ、第１内側レンズ２４ｂ、第２外側レンズ２６ａ、第２内側レンズ２６ｂの形状を球面としたが、非球面であってもよい。
【００２３】
第１レンズアレイプレート２４および第２レンズアレイプレート２６は、射出成形により形成される。第１レンズアレイプレート２４および第２レンズアレイプレート２６の材質は、射出成形に使用可能で、必要な波長帯域の光に対して光透過性が高く、吸水性の低いものが望ましい。望ましい材質としては、シクロオレフィン系樹脂や、オレフィン系樹脂、ノルボルネン系樹脂、ポリカーボネートなどを例示することができる。
【００２４】
第１レンズアレイプレート２４、第２レンズアレイプレート２６において、複数のレンズは、長手方向に一列に並べられている。正立等倍レンズアレイ１０は、上方に位置する原稿Ｇから反射された略直線状の光を受けて、下方に位置する像面、すなわちラインイメージセンサ２０の受光面に正立等倍像を形成するように構成されている。正立等倍レンズアレイ１０は、その長手方向が主走査方向に、短手方向が副走査方向に一致するように画像読取装置１００に装着される。
【００２５】
本実施の形態において、第１レンズアレイプレート２４、第２レンズアレイプレート２６は、第１遮光部材３０、第２遮光部材３２および第３遮光部材３４により、第１内側レンズ２４ｂと第２内側レンズ２６ｂが対向するように積層された状態で保持されている。
【００２６】
第１遮光部材３０、第２遮光部材３２、および第３遮光部材３４は、略同一の大きさの長方形の板状部材である。第１遮光部材３０および第２遮光部材３２は、それらの短手方向の一方の端部である左端部において、互いに平行に所定距離隔てた状態で筐体１２の本体部１２ｃの側面部に結合されている。第３遮光部材３４は、第１遮光部材３０と第２遮光部材３２の中間に、第１遮光部材３０、第２遮光部材３２と平行に設けられており、その左端部は、筐体１２の本体部１２ｃの側面部に結合されている。第１遮光部材３０と第３遮光部材３４の間隔および第２遮光部材３２と第３遮光部材３４の間隔は、第１レンズアレイプレート２４、第２レンズアレイプレート２６が挿入可能なように、第１レンズアレイプレート２４、第２レンズアレイプレート２６の厚みとほぼ等しいか若干大きく形成されている。
【００２７】
第１遮光部材３０には、第１レンズアレイプレート２４の複数の第１外側レンズ２４ａと対応する複数の第１貫通孔３０ａが形成されている。また、第２遮光部材３２には、第２レンズアレイプレート２６の複数の第２外側レンズ２６ａと対応する複数の第２貫通孔３２ａが形成されている。また、第３遮光部材３４には、第１レンズアレイプレート２４の複数の第１内側レンズ２４ｂおよび第２レンズアレイプレート２６の第２内側レンズ２６ｂに対応する複数の第３貫通孔３４ａが形成されている。第１貫通孔３０ａ、第２貫通孔３２ａおよび第３貫通孔３４ａは、円柱状の貫通孔である。
【００２８】
本実施の形態では、第１貫通孔３０ａ、第２貫通孔３２ａ、第３貫通孔３４ａは、同一形状で、第１遮光部材３０、第２遮光部材３２、第３遮光部材３４の長手方向に沿って一列に、同一ピッチで配列されており、対応する３つの貫通孔の中心軸が一致している。第１貫通孔３０ａ、第２貫通孔３２ａ、第３貫通孔３４ａの直径は、第１外側レンズ２４ａ、第１内側レンズ２４ｂ、第２外側レンズ２６ａ、第２内側レンズ２６ｂの有効領域の直径と略同じ大きさ、または該有効領域の直径よりも少し小さい大きさに設計されている。ここでレンズの有効領域とは、レンズとしての機能を有する部分のことである。また、第１貫通孔３０ａ、第２貫通孔３２ａ、第３貫通孔３４ａの配列ピッチは、第１外側レンズ２４ａ、第１内側レンズ２４ｂ、第２外側レンズ２６ａ、第２内側レンズ２６ｂの配列ピッチと同一である。
【００２９】
第１遮光部材３０、第２遮光部材３２および第３遮光部材３４は、遮光性材料により１２筐体１２の本体部１２ｃと一体に形成されている。本実施の形態では、筐体１２の本体部１２ｃも遮光性材料で形成されているが、必ずしも本体部１２ｃは遮光性材料で形成されている必要はなく、筐体１２は、２色成形などの多色成形で形成されてもよい。筐体１２の成形方法は、たとえば射出成形であってよい。遮光性材料としては、射出成型に使用可能で、且つ必要な波長帯域の光に対して遮光性が高い材料が望ましく、たとえば黒色のＡＢＳ樹脂を例示することができる。
【００３０】
本実施の形態において、第１レンズアレイプレート２４は、開放された短手方向の右端部側から第１遮光部材３０と第３遮光部材３４との隙間に挿入されることにより、筐体１２固定される。また、第２レンズアレイプレート２６は、開放された短手方向の右端部側から、第２遮光部材３２と第３遮光部材３４との隙間に挿入されることにより、筐体１２に固定される。第１レンズアレイプレート２４、第２レンズアレイプレート２６を挿入する際には、第１遮光部材３０、第２遮光部材３２、第３遮光部材３４の開放側端部を拡開し、挿入後に閉じる。これにより、本実施の形態のように凸レンズが形成されたレンズアレイプレートであっても、レンズに傷をつけずに挿入することができる。
【００３１】
第１レンズアレイプレート２４を第１遮光部材３０と第３遮光部材３４との隙間に挿入した状態において、複数の第１外側レンズ２４ａは、各々対応する第１遮光部材３０の第１貫通孔３０ａの正面に位置し、その一部が第１貫通孔３０ａに嵌入されており、複数の第１内側レンズ２４ｂは、各々対応する第３遮光部材３４の第３貫通孔３４ａの正面に位置し、その一部が第２貫通孔３２ａに嵌入されている。また、第２レンズアレイプレート２６を第２遮光部材３２と第３遮光部材３４との隙間に挿入した状態において、複数の第２外側レンズ２６ａは、各々対応する第２遮光部材３２の第２貫通孔３２ａの正面に位置し、その一部が第２貫通孔３２ａに嵌入されており、複数の第２内側レンズ２６ｂは、各々対応する第３遮光部材３４の第３貫通孔３４ａの正面に位置し、その一部が第３貫通孔３４ａに嵌入されている。
【００３２】
このように組み付けられることにより、第１レンズアレイプレート２４の第１外側面２４ｃは、第１外側レンズ２４ａの有効領域以外の領域が第１遮光部材３０により覆われ、第１内側面２４ｄは、第１内側レンズ２４ｂの有効領域以外の領域が第３遮光部材３４により覆われている。また、第２レンズアレイプレート２６の第２外側面２６ｃは、第２外側レンズ２６ａの有効領域以外の領域が第２遮光部材３２により覆われ、第２内側面２６ｄは、第２内側レンズ２６ｂの有効領域以外の領域が第３遮光部材３４により覆われた状態となっている。従って、第１遮光部材３０は、第１外側レンズ２４ａへ結像に寄与しない光（以下、迷光と呼ぶ）が入射するのを防いでいる。また、第３遮光部材３４は、第１内側レンズ２４ｂから迷光が出射するのを防ぎ、且つ第２内側レンズ２６ｂに迷光が入射するのを防いでいる。また、第２遮光部材３２は、第２外側レンズ２６ａから迷光が出射するのを防いでいる。
【００３３】
以上説明したように、本実施の形態においては、第１レンズアレイプレート２４、第２レンズアレイプレート２６に形成されたレンズに入射する迷光を除去する第１遮光部材３０、第２遮光部材３２および第３遮光部材３４は、筐体１２の本体部１２ｃと一体に形成されている。従って、遮光部材を別途設ける必要がなく、部品点数が低減されるため、安価な画像読取装置１００を構成できる。
【００３４】
また、本実施の形態では、第１遮光部材３０、第２遮光部材３２および第３遮光部材３４が筐体１２の本体部１２ｃと一体に成形されているため、第１貫通孔３０ａ、第２貫通孔３２ａおよび第３貫通孔３４ａを本体部１２ｃに対して精度よく形成することができる。この精度よく形成された第１貫通孔３０ａ、第２貫通孔３２ａ、第３貫通孔３４ａに第１レンズアレイプレート２４、第２レンズアレイプレート２６の各レンズが嵌入されるので、対応する４つのレンズの光軸ズレが発生するのを防止でき、その結果、結像性能を向上することができる。
【００３５】
また、本実施の形態では、第１レンズアレイプレート２４、第２レンズアレイプレート２６を、短手方向の開放端部から挿入する構成としている。それ故、挿入するために第１レンズアレイプレート２４、第２レンズアレイプレート２６を押し込む距離が短く、組み付けが容易である。
【００３６】
また、たとえば上述の特許文献１、２のように別体として構成したレンズアレイユニットを筐体に取り付ける構造の場合、レンズアレイユニットを筐体に固定するための突起構造が必要となる。この場合、突起構造の存在により、筐体とガラス板との間に距離を確保することが難しい場合がある。筐体とガラス板との間にある程度の距離を確保できないと、ガラス板の撓み等により、ガラス板と筐体とが接触するおそれがある。しかしながら、本実施の形態によれば、このような突起構造は不要であるため、ガラス板１４と筐体１２との間に距離を確保し易くなり、ガラス板１４と筐体１２とが接触する事態を防止できる。
【００３７】
図２は、本発明の別の実施の形態に係る画像読取装置２００の断面図である。図１に示す画像読取装置１００と対応する構成要素については、同一の符号を用いるとともに、説明を適宜省略する。
【００３８】
画像読取装置２００においては、第１レンズアレイプレート２４と第２レンズアレイプレート２６の間に位置する第３遮光部材３４のみが筐体１２の本体部１２ｃと一体に形成されており、第１レンズアレイプレート２４の上方に位置する第１遮光部材４０および第２レンズアレイプレート２６の下方に位置する第２遮光部材４２は、本体部１２ｃとは別体として構成されている。第１遮光部材４０と第２遮光部材４２は、短手方向の右端部において連結されている。
【００３９】
本実施の形態のように、第３遮光部材３４のみ筐体１２の本体部１２ｃと一体に形成した場合であっても、部品点数を削減できるため、安価な画像読取装置２００を実現できる。
【００４０】
また、本実施の形態においても、筐体１２の本体部１２ｃと一体に形成された第３遮光部材３４の第３貫通孔３４ａを基準として第１レンズアレイプレート２４、第２レンズアレイプレート２６のレンズが配置されるので、対応する４つのレンズの光軸ズレが発生するのを防止でき、その結果、結像性能を向上することができる。
【００４１】
本実施の形態では、第３遮光部材３４のみ筐体１２の本体部１２ｃと一体に形成したが、第１遮光部材または第２遮光部材のみが筐体１２の本体部１２ｃと一体に形成された構成も可能である。また、第１〜第３遮光部材のうち２つの遮光部材のみが筐体１２の本体部１２ｃと一体に形成された構成も可能である。
【００４２】
図３は、正立等倍レンズアレイの変形例を説明するための図である。図３に示す正立等倍レンズアレイ５０は、第１レンズアレイプレート２４、第２レンズアレイプレート２６の短手方向の右端部において、連結部材５２により互いに平行に所定距離隔てた状態で連結されている。このように第１レンズアレイプレート２４および第２レンズアレイプレート２６を一体に構成することにより、部品点数が低減され、また組立工数が低減されるため、より安価な画像読取装置を実現できる。
【００４３】
図３に示す正立等倍レンズアレイ５０は、射出成形で形成することができる。射出成形で形成する場合、２色成形により、第１レンズアレイプレート２４、第２レンズアレイプレート２６を透光性材料により形成し、連結部材５２を遮光性材料で形成することが望ましい。この場合、正立等倍レンズアレイ５０を筐体１２に取り付けた際に、短手方向右端部側から入射する迷光を効果的に除去することができる。
【００４４】
図４は、第１および第２レンズアレイプレートの変形例を説明するための図である。図４に示すように、第１レンズアレイプレート４４、第２レンズアレイプレート４６は、それぞれ、第１遮光部材３０と第３遮光部材３４との隙間、第３遮光部材３４と第２遮光部材３２との隙間に最初に挿入される側の端部にテーパ状部分４４ａ、４６ａを有する。
【００４５】
このようにテーパ状部分４４ａ、４６ａを有することにより、第１遮光部材３０と第３遮光部材３４との隙間、第３遮光部材３４と第２遮光部材３２との隙間に第１レンズアレイプレート２４、第２レンズアレイプレート２６を容易に挿入できる。その結果、組立工数が低減されるので、より安価な画像読取装置を実現できる。
【００４６】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４７】
上述の実施の形態では、レンズアレイプレートを２枚積層して正立等倍像を形成するレンズアレイユニットを構成したが、レンズアレイプレートの積層枚数は、２枚に限られない。たとえば、第１レンズアレイプレートと第２レンズアレイプレートの間にもう一枚別のレンズアレイプレートを挿入してレンズアレイユニットを構成してもよい。また、実施の形態では、両面にレンズが形成されたレンズアレイプレートを用いたが、片面のみにレンズが形成されたレンズアレイプレートを複数枚積層してレンズアレイユニットを構成してもよい。
【００４８】
また、上述の実施の形態では、レンズおよび貫通孔を一列に配列したが、配列パターンは特に限定されず、たとえば複数列にレンズおよび貫通孔が配列されてもよい。
【００４９】
また、上述の実施の形態では、第１〜第３遮光部材３０、３２、３４における第１〜第３貫通孔３０ａ、３２ａ、３４ａの直径は同一に形成したが、貫通孔の直径は、レンズ等の光学系の設計に応じて遮光部材ごとに異なる大きさに設定されてもよい。
【図面の簡単な説明】
【００５０】
【図１】本発明の実施の形態に係る画像読取装置の断面図である。
【図２】本発明の別の実施の形態に係る画像読取装置の断面図である。
【図３】正立等倍レンズアレイの変形例を説明するための図である。
【図４】第１および第２レンズアレイプレートの変形例を説明するための図である。
【符号の説明】
【００５１】
１０、５０  正立等倍レンズアレイ、  １２  筐体、  １２ｃ  本体部、  １４  ガラス板、  １６  ライン照明装置、  ２０  ラインイメージセンサ、  ２２  基板、  ２４、４４  第１レンズアレイプレート、  ２６、４６  第２レンズアレイプレート、  ３０、４０  第１遮光部材、  ３２、４２  第２遮光部材、  ３４  第３遮光部材、  １００、２００  画像読取装置、  ５２  連結部材。
【図１】
2010074548.tif 000003
【図２】
2010074548.tif 000004
【図３】
2010074548.tif 000005
【図４】
2010074548.tif 000006